(57)【要約】【課題】  商品を入れるレジ袋を、手で持つ場合のほか、腕の内側にかけて持つ場合でも、楽に提げることができるようにするとともに、薄くコンパクトな状態で、折り畳んだレジ袋を携帯できるようにすること。【解決手段】  レジ袋１２提げ手１２ａに取り付けて用いられるレジ袋用取手１１であって、柔軟性を有するシート状素材からなり、折り畳まれたレジ袋１２の片面をのせる載置部１３を有するとともに、該載置部１３から連設され、上記レジ袋１２の他方側の面を被覆してレジ袋１２を包み、かつ相互に重合する被覆部１４を有したレジ袋用取手１１。【選択図】    図２
2006141907.tif 000002
【特許請求の範囲】
【請求項１】
レジ袋の提げ手に取り付けて用いられるレジ袋用取手であって、
柔軟性を有するシート状素材からなり、折り畳まれたレジ袋の片面をのせる載置部を有するとともに、
該載置部から連設され、上記レジ袋の他方側の面を被覆してレジ袋を包み、かつ相互に重合する被覆部を有した
レジ袋用取手。
【請求項２】
前記シート状基材が布帛又は不織布からなるものである
請求項１に記載のレジ袋用取手。
【請求項３】
前記被覆部による被覆状態を保持する固定手段が設けられた
請求項１又は２に記載のレジ袋用取手。
【請求項４】
前記レジ袋の提げ手に対する取り付け時に、当該レジ袋用取手の一部同士を重合してその重合形態を保持する形態固定手段が設けられた
請求項１から請求項３のうちのいずれか一項に記載のレジ袋用取手。
【請求項５】
広告宣伝のための表示部を形成した
請求項１から請求項４のうちのいずれか一項に記載のレジ袋用取手。
【発明の詳細な説明】
【技術分野】
【０００１】
この発明は、例えばスーパやコンビニエンスストア等で商品を購入した時に商品を入れてもらう合成樹脂製の袋、すなわちレジ袋を、持ちやすくするためのレジ袋用取手に関する。
【背景技術】
【０００２】
レジ袋は、上端に開口部を有する袋状で、両側に細幅帯状で逆Ｕ字状をなす提げ手を有しており、この提げ手を利用して提げられるように構成されている。
【０００３】
しかし、レジ袋に入れられる商品には、例えば２リットルのペットボトルやお米など、重いものも多くなり、帯状の提げ手も、てのひら等に持つと紐状になって手等に食い込み、提げるのに苦痛を感じることが多々ある。
【０００４】
一方、レジ袋を多用することによって環境にかける負荷も問題とされている。
【０００５】
このため、特許文献１に開示されているようなレジ袋用取手を案出した。この取手は、開閉可能で中空箱状をなし、その下端部の前後方向両端を開放して、レジ袋の提げ手を受ける受け部を設けた構成である。
【０００６】
この取手によれば、レジ袋の提げ手は受け部で受けられるため手に直接当たらない。このため、提げ手が手に食い込むことがなく、楽に提げることができる。しかも、取手の内部にレジ袋を入れることが可能であるので、レジ袋を持参しての買い物を促すことができ、環境問題の解決にも資することができる。
【０００７】
ところが、レジ袋の持ち方は手に持って提げるばかりではなく、女性にあっては、折り曲げた腕の内側にかけて提げる場合がよくある。
【０００８】
しかし、上記特許文献１の取手は、中空箱状に形成されているため、腕の内側では安定しにくく、上述のような持ち方には不向きである。
【０００９】
また、スポンジで形成されたものも提案されている（下記特許文献２参照）。これは、円板状のスポンジからなる弾力材の表面側に、厚手の布からなるカバーを設けた構成である。
【００１０】
使用にあたっては、弾力材を半分に折ってレジ袋の提げ手に下から引っ掛けて手に握るとともに、弾力材とカバーとの間に指先を差し込む。すなわち、提げた時にレジ袋の提げ手が手に食い込んで痛くないようにするとともに、指先が冷たくないようにした発明である。このほか、公報の図８に開示されているように、弾力材とカバーとの間に、折り畳まれたレジ袋を収納することができると開示されている。
【００１１】
しかし、特許文献２に開示されている発明では、スポンジからなる弾力材と、厚手の布からなるカバーとが重合した構成である。このため、厚みが厚く、ごわつくので、たとえばポケットに入れて携帯しようとすると、邪魔に感じることになる。折り畳んだレジ袋を収納すれば、一そう厚みが増し、さらに携帯しにくくなる。
【００１２】
また、円板状であるので、折り畳んだレジ袋の形状とは形状が大きく異なり、レジ袋を入れた場合にレジ袋の周囲にデッドスペースができる。レジ袋が円形に折り畳まれることはないからである。
【００１３】
さらに、弾性材はスポンジからなるので、新しい時はよいが、使用に伴って凹み、癖がつくので、弾力材の効果は低下する。
【００１４】
さらにまた、円板状のものを折り曲げて手に提げるように構成されているので、腕にかけた場合には、弾力材の安定性が悪くて転がりやすく、またカバーが邪魔になるため、腕にかけて提げことができない。
【００１５】
【特許文献１】特許第３４６２４９５号公報
【特許文献２】特開２００１−３１４２２１号公報
【発明の開示】
【発明が解決しようとする課題】
【００１６】
そこで、この発明は、手で持つ場合のほか、腕の内側にかけて持つ場合でも、レジ袋を楽に提げることができるとともに、レジ袋を保持できるようなレジ袋用取手の提供を主たる課題とする。
【課題を解決するための手段】
【００１７】
そのための手段は、レジ袋の提げ手に取り付けて用いられるレジ袋用取手であって、柔軟性を有するシート状素材からなり、折り畳まれたレジ袋の片面をのせる載置部を有するとともに、該載置部から連設され、上記レジ袋の他方側の面を被覆してレジ袋を包み、かつ相互に重合する被覆部を有したレジ袋用取手であることを特徴とする。
【００１８】
すなわち、この構成によれば、レジ袋用取手をレジ袋の提げ手に取り付ける時には、載置部および被覆部を適宜の形にして提げ手を乗せ、あるいは提げ手を挟むなどしてから、載置部および／または被覆部を折り曲げたり丸めたりして、提げ手に取り付ける。このとき、被覆部同士を相互に重合させる。
【００１９】
そして、手で握ったり、腕にかけたりすると、載置部と被覆部が、手や腕と提げ手との間に介在して、柔軟に変形しながら緩衝の役割を果たす。
【００２０】
また、畳んだレジ袋の片面を載置部に重ねてから、そのレジ袋の他方側の面を被覆部で被覆して包むことで、レジ袋をレジ袋用取手に隠蔽して、一体に保持することができ、買い物に際してレジ袋の持参を促せる。上記重ねる動作は、乗せることによるもののほか、袋状の部分に挿入することによるもの、重合している部分に挟み込むことによるものも含む。上記挿入したり挟み込んだりした場合には、レジ袋の他方側の面は被覆部で自動的に被覆される。
【００２１】
被覆部同士が相互に重合するように変形すれば、より小さくして携帯できる。
【００２２】
レジ袋を保持したレジ袋用取手は、携帯されているときには、保持されているレジ袋と共に外力に合わせて自在に変形する。
【００２３】
なお、上記シート状基材は、合成樹脂製であるもよいが、布帛又は不織布からなるものであるのが好ましい。人体になじみやすい上に、滑りにくくすることができる。また、環境に負担をかけない。
【００２４】
また、上記被覆部による被覆状態を保持する固定手段を設けるもよい。固定手段は、たとえば面ファスナ、スライドファスナ、スナップ、差込構造、粘着剤層、再粘着可能な粘着剤層などで構成できる。
【００２５】
さらに、上記レジ袋の提げ手に対する取り付け時に、当該レジ袋用取手の一部同士を重合してその重合形態を保持する形態固定手段を設けると、提げやすい形態を得ることができる。形態固定手段には、上述のように、面ファスナ、スライドファスナ、スナップ、差込構造、粘着剤層、再粘着可能な粘着剤層などが採用可能である。
【００２６】
さらにまた、広告宣伝のための表示部を、適宜箇所に形成するとよい。形成位置は、適宜設定され得るが、外側面と内側面とを比較すると、内側面に形成するのが好ましい。表示部が汚れたり脱落したりし難い上に、広告内容を漫然と見える状態にしておく場合よりも、折り畳んだレジ袋を包む時に確実に、また繰り返して見えるようにするほうが、広告効果が高まるからである。
【００２７】
また、広告宣伝の内容は、レジ袋用取手が使用されるスーパ、コンビニエンスストアなどの広告宣伝であると良いのはもちろんであるが、レジ袋とは関係ない他社の広告宣伝であるもよい。この場合には、広告宣伝と取手とを結び付けたことによって有利な広告効果を達成することが可能となり、また新規のビジネスの提供も可能になる。
【発明の効果】
【００２８】
以上のように、この発明によれば、柔軟性を有するシート状素材からなるので、手や腕と提げ手との間で緩衝作用をする上に、接した時に手や腕になじみむとともに、他のものと当たっても外力に応じて自由に変形する。しかも、厚みが薄い。
【００２９】
このため、手に握るほか、腕の内側にかけてレジ袋を提げても、楽に持つことができる。そのうえ、携帯時に、たとえばポケットに入れておいても、載置部も被覆部も柔軟に変形するので、当たって痛いというようなことはなく、ポケットティシュでも携帯する要領で手軽に携帯できる。
【００３０】
しかも、被覆部は、レジ袋の提げ手に対する取り付け時および／またはレジ袋の保持時に、相互に重合するので、たとえば二重、三重に重ねることによって、手や腕と提げ手との間に位置する部分の厚さ、すなわち緩衝度合いを、レジ袋用取手の形状や荷物の重さなどに応じて、楽に提げられるよう適宜設定できる。また、携帯時には、より小さく折り畳んでコンパクトにすることもできる。
【００３１】
さらに、折り畳まれたレジ袋の片面をのせる載置部と、レジ袋の他方側の面を被覆する被覆部とを有しているので、レジ袋を隠蔽して保持することができる。このため、持参するレジ袋を徒に傷つけてしまうことはなく、確実に保護できるとともに、載置部と被覆部とを有する全体の形態は、保持可能にするレジ袋の大きさや枚数、意匠感、レジ袋の包み方等に応じて、自由に設定でき、所望のレジ袋用取手を得ることが可能である。
【発明を実施するための最良の形態】
【００３２】
この発明を実施するための一形態を、以下図面を用いて説明する。  
図１は、レジ袋用取手１１（以下、取手という）の斜視図であり、この図に示すように、取手１１は、薄いシート状素材で構成されている。
【００３３】
シート状素材としては、衣服の生地などのように柔軟性の有る布帛や、不織布、さらには塩化ビニルなどの合成樹脂シートを使用する。なかでも、織物や不織布が好ましい。手になじみやすく、汗をかいても滑らないからであるとともに、廃棄しても自然に負担をかけないからである。
【００３４】
この取手１１は、レジ袋１２を手や腕に提げて持つときに使用するほか、買い物に際してレジ袋１２を持参するときに使用する。
【００３５】
このため、取手１１は、折り畳んだレジ袋１２を載置する載置部１３を有するとともに、該載置部１３から連設されレジ袋１２を被覆する被覆部１４を有した構成である。図１の取手１１は、中央部に、長方形状の載置部１３を有し、この載置部１３の直線状をなす４辺からそれぞれ長方形状の被覆部１４を延ばしている。
【００３６】
載置部１３と被覆部１４は、１枚のシート状素材で一体に構成し、上記載置部１３は、折り畳まれたレジ袋１２の片面を載置でき、手にも握りやすいように、たとえば５〜６ｃｍ×９〜１０ｃｍ程度の方形状に形成するとよい。また、上述のように少なくとも１本の直線状の辺を有する形状に形成することによって、折り畳んだレジ袋１２を乗せる基準となる線を得て、載置部１３とレジ袋１２の形状を対応させ、余分な部分を少なくして、形態のコンパクト化を図ることができる。
【００３７】
上記被覆部１４は、図３に示したように、載置部１３に載せたレジ袋１２の他方側の面、すなわち上面を被覆してレジ袋１２を包む部分で、相互に重合可能に形成されている。
【００３８】
つまり、図２に示したように、レジ袋１２を折り畳んで上記載置部１３に収まる大きさにするとともに、これを載置部１３に乗せて４枚の被覆部１４を内側に折り返した時にそれぞれが相互に重合する大きさ、形状に形成している。
【００３９】
そして、４枚の被覆部１４のうち、相互に対向する部分の被覆部には、互いに係脱して、それぞれの重合状態を保持する固定手段を設けている。
【００４０】
すなわち、一組の被覆部１４ごとに、一組の面ファスナ１５ａ，１５ｂを先端部に取り付けている。面ファスナ１５ａ，１５ｂのほか、図６に示したような一組のスナップ１６ａ，１６ｂ等も採用できる。図示例では、二組ある被覆部１４のうち、短手方向の１組の被覆部１４に対してのみスナップ１６ａ，１６ｂを取り付けている。このように一組の被覆部１４に対してのみ設けるもよい。
【００４１】
このほか、固定手段としては、たとえばスライドファスナや差込構造も使用でき、一回限りの使用に供する取手であれば粘着材層で構成することもできる。また、図７に示したように、複数回にわたって粘着可能な再粘着剤層１７ａと、平滑性を有する滑面１７ｂとで固定手段を構成することも可能である。
【００４２】
そしてこのような形状に形成された取っ手１１の内側面の適宜位置には、広告宣伝のための表示部１８を形成している。図示例では、載置部１３に形成したが、その他の部位に形成するもよく、載置部１３の形成は、素材に応じて適宜の方法で行う。たとえば、プリントや、予めプリント等して表示したシート片（図示せず）の貼り付けなどで簡単に形成できる。
【００４３】
また、表示部１８を形成しない部位には、他に必要な部材を取り付けることもできる。図８はその一例であって、取手１１を識別する機械読み取り可能な取手識別符号として、バーコードを表示した短冊シート状のタグ１９を透明な接着テープ２０で貼り付けている。このバーコードを利用して、レジ袋１２持参者に対する特典付与等のサービスを図れば、レ１２の再利用（活用）を効率よく実践できる。取手１１は、布等で構成するので、汚れたり破れたりしたら、タグ１９を新規の取手に付け替えれば、サービスの享受を継続できる。接着テープ２０で接着しておけば、付け替えは容易に行える。上記タグ１９には、バーコードのほか、たとえばＩＣチップ等その他の手段を用いるもよい。
【００４４】
このように構成された取手１１でレジ袋１２を包むには、図２に示したように、取手１１を広げてから、折り畳んだレジ袋１２を載置部１３にのせ、４枚の被覆部１４を内側に折り返して、面ファスナ１５ａ，１５ｂで重合状態に固定する。すなわち、図３に示したようになって、レジ袋１２の全体が覆われ、包み込まれる。このため、レジ袋１２を持参しやすくなり、またレジ袋１２は保護される。
【００４５】
一方、レジ袋１２の提げ手１２ａに取り付ける場合には、図４に示したように、広げた取手１１の長手方向における一対の被覆部１４を内側に折り返すとともに、この上にレジ袋１２の提げ手１２ａを乗せる。そして、他の一組の被覆部１４を内側に折り返して面ファスナ１５ａ，１５ｂ同士を重合して、重合状態を保つ。すると、レジ袋１２の提げ手１２ａは、図５に示したように被覆される。このとき、提げ手１２ａの下側は、載置部１３と被覆部１４が二重又は三重に重なる。また、提げ手１２ａの上側は、２枚の被覆部１４とこれらの間に位置する一組の面ファスナ１５ａ，１５ｂが重なる。
【００４６】
レジ袋１２の提げ方は、図９（ａ），（ｂ）に示したように、手に握って提げる提げ方と腕にかけて提げる提げ方との、主に二種類の提げ方ができるが、このとき、図５に示した状態で手に提げれば、シート状素材が二重又は三重に重なって緩衝をする。また、取手１１を上下反転させた状態で手に提げれば、二重のシート状素材と一組の面ファスナ１５で緩衝する。さらに、取手１１を幅方向で２つ折にすれば、人体と提げ手１２ａとの間の緩衝性が高まる。
【００４７】
しかも、取手１１は、布や不織布、合成樹脂シートのような柔軟なシート素材を用いて構成したので、人体の湾曲や凹凸になじみやすく、上述のように、手に握って提げても、腕にかけて提げても、いずれの方法でも楽に持てる。
【００４８】
また、上述のように取手１１は、柔軟性を有するシート状素材からなるので、手や腕と提げ手１２ａとの間で緩衝作用をする上に、接した時に手や腕になじみむとともに、他のものと当たっても外力に応じて自由に変形する。しかも厚みは薄い。
【００４９】
このため、手に握るほか、腕の内側にかけてレジ袋１２を提げても、楽に持つことができる。そのうえ、携帯時に、たとえばポケットに入れておいても、載置部１３も被覆部１４も柔軟に変形するので、当たって痛いというようなことはなく、手軽に携帯できる。
【００５０】
しかも、被覆部１４は相互に重合可能であるので、二重、三重に重ねることによって、手や腕と提げ手１２ａとの間に位置する部分の厚さ、すなわち緩衝度合いを、取手１１の形状や荷物の重さなどに応じて、楽に提げられるよう適宜設定できる。
【００５１】
また、折り畳まれたレジ袋１２の片面をのせる方形状の載置部１３と、該載置部１３の４辺から連設した４枚の被覆部１４とを有しているので、レジ袋１２の全体を隠蔽して保持することができる。このため、持参するレジ袋を徒に傷つけてしまうことはなく、確実に保護できる。
【００５２】
さらに、載置部１３を長方形状に形成したので、折り畳まれたレジ袋１２の形状と略相似関係にある形状となって、余分なスペースをなくし、コンパクトな形態にできる。
【００５３】
そのうえ、４枚の被覆部１４を設けて、これらを単に内側に折り曲げるように構成したので、レジ袋１２を包む動作も、提げ手１２ａに取り付ける動作も、簡易迅速に行える。
【００５４】
なお、取手１１には、上記固定手段のほかに、レジ袋１２の提げ手１２ａに対する取り付け時に取手１１の一部同士を重合してその重合した形態を保持する形態固定手段を設けるもよい。
【００５５】
すなわち、取手１１が上記固定手段のみを有する場合は、図１０に示したように、提げ手１２ａに対しては（ａ）のような取り付け状態になるが、固定手段のほかに形態固定手段を設けることにより、（ｂ）〜（ｄ）に例示したような取り付け状態が得られる。
【００５６】
図中（ｂ）の取手１１は、固定手段としての面ファスナの一方１５ａと係脱する面ファスナ１５ｂを、載置部１３の下面に形成した構成である。すなわち、提げ手１２ａを保持したのち、上記固定手段としての面ファスナ１５ａを対向する被覆部１４の面ファスナ１５ｂに係合せずに、形態固定手段としての面ファスナ１５ｂに係合することで、提げ手１２ａを受ける部分をＵ字形に保持し、握りやすい形態に変形することができる。提げ手１２ａが不測に移動したりすることもなく提げやすい。
【００５７】
（ｃ）の取手１１は、固定手段としての面ファスナ１５ａ，１５ｂとは全く別に形態固定手段としての面ファスナ１５ａ，１５ｂを載置部１３の両側縁部近傍に設けた構成である。すなわち、固定手段としての面ファスナ１５ａ，１５ｂを、取手１１を丸めたときに重合する対向面間に取り付けている。
【００５８】
提げ手１２ａを折り畳んだ取手１１の上にのせて丸め、形態固定手段としての面ファスナ１５ａ，１５ｂを係合することで、取手１１は丸くなり、提げ手は１枚の載置部１３と４枚の被覆部１４と二組の面ファスナ１５ａ，１５ｂで受けられる状態なり、持ちやすい。
【００５９】
（ｄ）の取手１１も、（ｃ）の取手１１と同様に、固定手段としての面ファスナ１５ａ，１５ｂとは全く別に形態固定手段としての面ファスナ１５ａ，１５ｂを載置部１３の両側縁部近傍に設けた構成であるが、この場合には、取手１１を丸めた時に当接する縁部に、面ファスナ１５ａ，１５ｂを取り付けている。
【００６０】
以下、図１１から図１８を用いてその他の例を説明する。なお、上記構成と同一の機能を有する部位については、同一の符号を付して、その詳しい説明を省略する  
図１１に示した取手１１は、長方形状に形成したもので、長さ方向の中間部を載置部１３に設定し、その両側である、長さ方向の両端部を被覆部１４に設定している。被覆部１４の長さは、図１２（ａ）に示したように、折り畳んだレジ袋１２を包んだ時に相互に重合する長さで、内側面における一端と、外側面における他端に、一組の面ファスナ１５ａ，１５ｂを設けている。
【００６１】
レジ袋１２を包む時には、伸ばした状態の取手１１の載置部１３にレジ袋１２をのせ、両側の被覆部１４を内側に折り返して、包めばよい［図１２（ａ）参照］。また、手に握ったり腕にかけたりして提げる時には、図１２（ｂ）に示したように、取手１１を三つ折にするようにして提げ手１２ａに巻きつけ、面ファスナ１５ａ，１５ｂを有する側が提げ手１２ａの下側に位置するようにして、提げるとよい。図示例では、提げ手１２ａを帯状に広げた状態に示したが、取手１１丸めて取り付けて、取手１１における提げ手１２ａの人体との間に介在する部分が厚くなるようにするもよい。
【００６２】
図１３は、図１０の取手１１に有利な付加構造を示す斜視図で、図１２（ａ）は、載置部１３に滑り止め用の突起２１を形成した例を示している。シート素材がたとえば布や不織布からなる場合には、面ファスナ１５ａ，１５ｂによる固定が緩い場合に、包んだレジ袋１２が脱落する可能性が考えられるが、このようにゴム等からなる突起２１を形成することによって、容易に脱落しないように構成できる。
【００６３】
図１３（ｂ）は、脱落しないようにするための他の構造例で、載置部１３を挟む位置に、逆Ｌ字状に折り曲がる規制片２２を折り曲げ線２３を介して連設している。上記折り曲げ線２３と、規制片２２中に形成した中間位置の折り曲げ線２４は、シート状素材の性状に応じて適宜形成すればよい。たとえば、布からなる場合には、厚み方向に縫う縫い目を形成することによって形成でき、合成樹脂シートからなる場合には、高周波ウェルダによって形成できる。また折癖で形成することも可能である。このように構成すると、簡単な折り畳み動作で、脱落防止可能な状態でレジ袋１２を包むことができる。
【００６４】
図１４に示した取手１１は、長さの異なる２枚の方形状のシート素材を、それぞれの一辺を重合して形成したものである。長さの長い第１シート材２５には、上記一辺側から、載置部１３と被覆部１４を形成し、それよりも長さの短い第２シート材２６には、被覆部１４のみを形成している。そして、第１シート材２５と第２シート材２６の表面における、上記一辺とは反対側の縁部には、重合したときに相互に係脱する面ファスナ１５ａ，１５ｂを設け、第１シート材２５の裏面には、上記面ファスナのうち第１シート材２５に形成したものと係脱する面ファスナ１５ｂを取り付けている。
【００６５】
このように構成した取手１１では、図１５（ａ）に示したように、第１シート材２５と第２シート材２６の面ファスナ１５ａ，１５ｂの係合により、レジ袋１２を包むことができ、また、図１５（ｂ）に示したようにレジ袋１２の提げ手１２ａに巻きつけることにより、提げ手１２ａ提げやすくすることができる。
【００６６】
図１６に示した取手１１は、正面視方形の偏平状で、上端が開口した袋状に形成したものであって、上端の開口部２７から折り畳んだレジ袋１２を出し入れできるように構成している。そして、一側面の上端部と他側面の下端部に、相互に係脱する面ファスナ１５ａ，１５ｂを設けている。
【００６７】
レジ袋１２を保持するときには、上端の開口部２７からレジ袋１２を差し込めばよく、レジ袋１２の提げ手１２ａに取り付ける時には、図１６（ｂ）に示したように、提げ手１２ａに巻きつけるようにして、上記面ファスナ１５ａ，１５ｂによる固定を行う。面ファスナ１５ａ，１５ｂ側が提げ手１２ａの下側に位置するようにして持つことで、シート素材が四重に重なり、それに加えて一組の面ファスナ１５ａ，１５ｂも重なって緩衝作用を果たす。それほどまでの緩衝作用が必要でない場合には、面ファスナ１５ａ，１５ｂ側が提げ手１２ａの上側に位置するようにして持てばよい。
【００６８】
図１７に示した取手１１は、平面視方形の偏平状で、上面にスリット状の出し入れ口２８を設けた構成である。出し入れ口２８は、レジ袋１２を内部に出し入れするための部分で、シート素材を適宜オーバーラップさせて形成すると、レジ袋１２の不測の脱落がなく、また構成が簡素になるのでよい。
【００６９】
そしてこの取手１１の場合も、図１６に示した取手１１の場合と同様に、上面と下面の相反する側に、相互に係脱する面ファスナ１５ａ，１５ｂを設けている。
【００７０】
レジ袋１２を保持するときには、上端の出し入れ口２８からレジ袋１２を差し込めばよく、レジ袋１２の提げ手１２ａに取り付ける時には、図１７（ｂ）に示したように、提げ手１２ａに巻きつけるようにして、上記面ファスナ１５ａ，１５ｂによる固定を行う。面ファスナ１５ａ，１５ｂ側が提げ手１２ａの下側に位置するようにして持つことで、シート素材が四重に重なり、それに加えて一組の面ファスナ１５ａ，１５ｂも重なって緩衝作用を果たす。それほどまでの緩衝作用が必要でない場合には、面ファスナ１５ａ，１５ｂ側が提げ手１２ａの上側に位置するようにして持てばよい。
【００７１】
図１８に示した取手１１は、正方形のシート状素材をその一本の対角線上で２つに折った形状に構成されている。そして、三角形をなす２つのシート部における２辺の内側面には、相互に係脱する面ファスナ１５ａ，１５ｂを設けるとともに、一方のシート部（被覆部１４）における外側面の下部には、他方のシート部（載置部１３）に設けた上記面ファスナ１５ａが係脱する面ファスナ１５ｂを設けている。
【００７２】
このように構成した取手１１においては、レジ袋１２を保持するときには、２つのシート部（載置部１３及び被覆部１４）を開いて、その中に折り畳んだレジ袋１２を入れて面ファスナ１５ａ，１５ｂ同士を係止して閉じればよい。また、レジ袋１２の提げ手１２ａに取り付ける時には、図１７（ｂ）に示したように、一方のシート部（被覆部１４）を他方のシート部（載置部１３）の内側に巻き込むようにするとともに、他方のシート部（被覆部１４）を外側で丸めて、内側面の面ファスナ１５ａと外側面の面ファスナ１５ｂを相互に係合する。
【００７３】
この取手１１によれば、２つ折り状態であるので、レジ袋１２の出し入れがしやすい。その上に、正面視三角形をなすので、長方形状に折り畳んだレジ袋１２を保持することができるのはもちろんであるが、三角形状に折り畳んだレジ袋１２を保持する場合に、取手１１の形とレジ袋１２の形とを近づけることができ、無駄を少なくして、コンパクトな形状とすることができる。また、比較的小さく形成しても、大き目のレジ袋を保持できる。
【００７４】
さらに、提げる時には、下辺部分を長く形成しても、手に握ったり、腕に提げたりした時に、長さ方向の両端部における上側部分がない形状となり、体裁よくもてる。
【００７５】
なお、この取手１１の形態を、正面視半円形に形成するもよく、またシート状素材を二重に重ねて、シート状素材の間にポケット状のレジ袋収納部（図示せず）を形成するもよい。
【００７６】
この発明の構成と、上記一形態の構成との対応において、  
この発明の、固定手段及び／又は形態固定手段は、上記面ファスナ１５ａ，１５ｂ、スナップ１６ａ，１６ｂ、再粘着剤層１７ａ及び滑面１７ｂに対応するも、  
この発明は、上記構成のみに限定されるものではなく、その他の形態も採用し得る。
【００７７】
たとえば表示部１８は、外側面に形成するもよい。
【００７８】
また、レジ袋保持状態や提げ手に対する取り付け状態を保持するための固定手段のいずれか一方又は双方を省略することもできる。
【図面の簡単な説明】
【００７９】
【図１】レジ袋用取手の斜視図。
【図２】作用状態の説明図。
【図３】レジ袋を保持した状態の断面図。
【図４】作用状態の説明図。
【図５】レジ袋の提げ手に取り付けた状態の断面図。
【図６】他の例に係るレジ袋用取手の斜視図。
【図７】他の例に係るレジ袋用取手の斜視図。
【図８】他の例に係るレジ袋用取手の斜視図。
【図９】提げた状態の説明図。
【図１０】レジ袋用取手の取り付け状態の説明図。
【図１１】他の例に係るレジ袋用取手の斜視図。
【図１２】図１０のレジ袋用取手の使用状態説明図。
【図１３】図１０のレジ袋用取手の変形例を示す斜視図。
【図１４】他の例に係るレジ袋用取手の斜視図。
【図１５】図１３のレジ袋用取手の使用状態説明図。
【図１６】他の例に係るレジ袋用取手の構造説明図。
【図１７】他の例に係るレジ袋用取手の構造説明図。
【図１８】他の例に係るレジ袋用取手の構造説明図。
【符号の説明】
【００８０】
１１…レジ袋用取手
１２…レジ袋
１２ａ…提げ手
１３…載置部
１４…被覆部
１５ａ，１５ｂ…面ファスナ
１６ａ，１６ｂ…スナップ
１７ａ…再粘着剤層
１７ｂ…滑面
１８…表示部
【図１】
2006141907.tif 000003
【図２】
2006141907.tif 000004
【図３】
2006141907.tif 000005
【図４】
2006141907.tif 000006
【図５】
2006141907.tif 000007
【図６】
2006141907.tif 000008
【図７】
2006141907.tif 000009
【図８】
2006141907.tif 000010
【図９】
2006141907.tif 000011
【図１０】
2006141907.tif 000012
【図１１】
2006141907.tif 000013
【図１２】
2006141907.tif 000014
【図１３】
2006141907.tif 000015
【図１４】
2006141907.tif 000016
【図１５】
2006141907.tif 000017
【図１６】
2006141907.tif 000018
【図１７】
2006141907.tif 000019
【図１８】
2006141907.tif 000020